(57)【要約】【課題】作業者の作業現場と作業時間とを効率的に管理することができる労務管理方法及び労務管理プログラムを提供する。【解決手段】管理コンピュータ２１は、工事識別子、作業管理端末識別子、設置時期及び撤去時期に関する設置データを設置データ記憶部２２に記録する。また、管理コンピュータ２１は、作業管理端末３１から受信した、作業管理端末識別子、作業者識別子、作業開始日時及び作業終了日時に関する作業実績データを作業実績データ記憶部２３に記録する。そして、管理コンピュータ２１は、作業実績データ記憶部２３に記憶された作業実績データと、設置データ記憶部に記録された設置データとを照合することにより作業現場識別子を特定し、作業現場識別子毎に作業実績を出力管理する。【選択図】      図１
2004288123.tif 000002
【特許請求の範囲】
【請求項１】
作業現場に設置する作業管理端末と、前記作業管理端末とネットワークを介して接続された管理コンピュータと、作業現場識別子と作業管理端末識別子と設置時期と撤去時期とを関連付けた設置データを記憶した設置データ記憶手段とを用いて、作業者の作業実績を管理する労務管理方法であって、
前記管理コンピュータが、
前記作業管理端末から受信した、作業管理端末識別子、作業者識別子、作業開始時刻及び作業終了時刻に関する作業実績データを作業実績データ記憶手段に記録する段階と、
前記作業実績データ記憶手段に記憶された作業実績データと、前記設置データ記憶手段に記憶された設置データとを照合することにより作業現場識別子を特定し、作業現場識別子毎に作業実績を出力管理する段階と
を備えたことを特徴とする労務管理方法。
【請求項２】
作業現場に設置する作業管理端末と、前記作業管理端末とネットワークを介して接続された管理コンピュータと、作業現場識別子と作業管理端末識別子と設置時期と撤去時期とを関連付けた設置データを記憶した設置データ記憶手段とを用いて、作業者の作業実績を管理する労務管理方法であって、
前記管理コンピュータが、
前記作業管理端末から受信した、作業管理端末識別子、作業者識別子、作業開始時刻及び作業終了時刻に関する作業実績データと、前記設置データ記憶手段に記憶された設置データとを照合することにより作業現場識別子を特定し、前記作業現場識別子毎に作業実績を記録することを特徴とする労務管理方法。
【請求項３】
前記労務管理方法において、
前記管理コンピュータが、
前記作業管理端末からの前記作業管理端末識別子を含む設置通知に基づいて、前記作業管理端末の設置時期を前記設置データ記憶手段に記録する段階と、
前記作業管理端末からの前記作業管理端末識別子を含む撤去通知に基づいて、前記作業管理端末の撤去時期を前記設置データ記憶手段に記録する段階と
をさらに備えたことを特徴とする請求項１又は２に記載の労務管理方法。
【請求項４】
前記作業現場への前記現場端末の設置予定時期を作業現場識別子と現場端末識別子とに関連付けて設置予定データ記憶手段に予め記憶するとともに、
前記設置時期を前記設置データ記憶手段に記録する段階は、
前記設置通知に含まれる現場端末識別子及び設置時期と、前記設置予定データ記憶手段に記憶された現場端末識別子及び設置予定時期を照合し、前記作業現場識別子を特定する段階と、
前記特定された作業現場識別子に関連付けて前記設置データ記憶手段に設置時期を記録する段階と
を備えたことを特徴とする請求項３に記載の労務管理方法。
【請求項５】
前記撤去時期を前記設置データ記憶手段に記録する段階は、
前記撤去通知に含まれる現場端末識別子に基づいて前記設置データを抽出する段階と、
前記抽出した設置データのうち、設置時期に対応する撤去時期が記録されていない設置データについて、前記撤去通知に基づいて撤去時期を記録する段階と
を備えたことを特徴とする請求項３又は４に記載の労務管理方法。
【請求項６】
前記労務管理方法は、
前記管理コンピュータが、
前記設置時期と前記撤去時期とに基づいて、前記作業管理端末の稼働期間を計算する段階と、
前記稼働期間に基づいて課金を算出する段階と
をさらに備えたことを特徴とする請求項１〜５のいずれか１つに記載の労務管理方法。
【請求項７】
作業現場に設置する作業管理端末と、前記作業管理端末とネットワークを介して接続された管理コンピュータと、作業現場識別子と作業管理端末識別子と設置時期と撤去時期とを関連付けた設置データを記憶した設置データ記憶手段とを用いて、作業者の作業実績を管理するための労務管理プログラムであって、
前記管理コンピュータを、
前記作業管理端末から受信した、作業管理端末識別子、作業者識別子、作業開始時刻及び作業終了時刻に関する作業実績データを作業実績データ記憶手段に記録する第１の手段、及び、
前記作業実績データ記憶手段に記憶された作業実績データと、前記設置データ記憶手段に記憶された設置データとを照合することにより作業現場識別子を特定し、作業現場識別子毎に作業実績を出力管理する第２の手段
として機能させるための労務管理プログラム。
【請求項８】
作業現場に設置する作業管理端末と、前記作業管理端末とネットワークを介して接続された管理コンピュータと、作業現場識別子と作業管理端末識別子と設置時期と撤去時期とを関連付けた設置データを記憶した設置データ記憶手段とを用いて、作業者の作業実績を管理するための労務管理プログラムであって、
前記管理コンピュータを、
前記作業管理端末から受信した、作業管理端末識別子、作業者識別子、作業開始時刻及び作業終了時刻に関する作業実績データと、前記設置データ記憶手段に記憶された設置データとを照合することにより作業現場識別子を特定し、前記作業現場識別子毎に作業実績を記録する手段として機能させるための労務管理プログラム。
【請求項９】
前記管理コンピュータを、さらに、
前記作業管理端末からの前記作業管理端末識別子を含む設置通知に基づいて、前記作業管理端末の設置時期を前記設置データ記憶手段に記録する第３の手段、及び、
前記作業管理端末からの前記作業管理端末識別子を含む撤去通知に基づいて、前記作業管理端末の撤去時期を前記設置データ記憶手段に記録する第４の手段
として機能させることを特徴とする請求項７又は８に記載の労務管理プログラム。
【請求項１０】
前記作業現場への前記現場端末の設置予定時期を作業現場識別子と現場端末識別子とに関連付けて記憶した設置予定データ記憶手段を用いて、
前記第３の手段を、
前記設置通知に含まれる現場端末識別子及び設置時期と、前記設置予定データ記憶手段に記憶された現場端末識別子及び設置予定時期を照合し、前記作業現場識別子を特定する手段、及び、
前記特定された作業現場識別子に関連付けて前記設置データ記憶手段に設置時期を記録する手段
として機能させることを特徴とする請求項９に記載の労務管理プログラム。
【請求項１１】
前記第４の手段を、
前記撤去通知に含まれる現場端末識別子に基づいて前記設置データを抽出する手段、及び、
前記抽出した設置データのうち、設置時期に対応する撤去時期が記録されていない設置データについて、前記撤去通知に基づいて撤去時期を記録する手段
として機能させることを特徴とする請求項９又は１０に記載の労務管理プログラム。
【請求項１２】
前記管理コンピュータを、さらに、
前記設置時期と前記撤去時期とに基づいて、前記作業管理端末の稼働期間を計算する第５の手段、及び、
前記稼働期間に基づいて課金を算出する第６の手段
として機能させることを特徴とする請求項７〜１１のいずれか１つに記載の労務管理プログラム。
【発明の詳細な説明】
【０００１】
【発明の属する技術分野】
本発明は、作業者の作業現場及び作業時間の管理に用いる労務管理方法及び労務管理プログラムに関するものである。
【０００２】
【従来の技術】
ビル等の大きな工事現場では、工事現場が隔離され入退場が管理される場合が多い。そして、ＩＣカード等を用いた入退場者の認証により、作業者の出勤、退勤の時間を記録し、実質的な作業時間による労務管理が行われている（例えば、非特許文献１参照。）。また、このような工事現場では、上記労務管理の下で実質賃金制を採用している。そして、この実質賃金に基づいて労災保険料を算定している。
【０００３】
【非特許文献１】
施工情報化協議会著、“施工情報化協議会ホームページ  施工情報システムとは”、［ｏｎｌｉｎｅ］、平成１５年２月４日、施工情報化協議会、［平成１５年２月１３日検索］、インターネット＜ＵＲＬ：ｈｔｔｐ：／／ｗｗｗ．ｉｃ−ｃａｒｄ．ｏｒ．ｊｐ／ｓｅｋｏｕ．ｈｔｍ＞
【０００４】
【発明が解決しようとする課題】
しかし、個人住宅の建設等の小規模な工事現場では、工事現場は外界から隔離されておらず、入退場口も限定しにくいため、作業者の出勤、退勤の時間を把握することが困難であり、実質的な作業時間を把握しにくい。従って、このような工事現場では、実質賃金制を用いることは困難である。このため、このような工事現場では、受注金額に所定の労務比率を乗算して人件費を算出する見なし賃金制を用いている。しかし、これでは実質賃金との差異が生じ、実情に合った労災保険料を支払うことができない。
【０００５】
また、このような工事現場では、複数の作業者の出入りが多く、また作業者も複数の工事現場を掛け持ちで作業を行なうことが多い。また、大規模工事の工事現場の場合と比較して、各工事現場での労働者の入れ替わりが多く、同一の工事現場における着工から工事終了までの期間も短いため、作業者が作業を行った工事現場を把握するのが困難である。
【０００６】
本発明は、上記問題点を解決するためになされたものであり、その目的は、作業者の作業現場と作業時間とを効率的に管理することができる労務管理方法及び労務管理プログラムを提供することにある。
【０００７】
【課題を解決するための手段】
上記問題点を解決するために、請求項１に記載の発明は、作業現場に設置する作業管理端末と、前記作業管理端末とネットワークを介して接続された管理コンピュータと、作業現場識別子と作業管理端末識別子と設置時期と撤去時期とを関連付けた設置データを記憶した設置データ記憶手段とを用いて、作業者の作業実績を管理する労務管理方法であって、前記管理コンピュータが、前記作業管理端末から受信した、作業管理端末識別子、作業者識別子、作業開始時刻及び作業終了時刻に関する作業実績データを作業実績データ記憶手段に記録する段階と、前記作業実績データ記憶手段に記憶された作業実績データと、前記設置データ記憶手段に記憶された設置データとを照合することにより作業現場識別子を特定し、作業現場識別子毎に作業実績を出力管理する段階とを備えたことを要旨とする。
【０００８】
請求項２に記載の発明は、作業現場に設置する作業管理端末と、前記作業管理端末とネットワークを介して接続された管理コンピュータと、作業現場識別子と作業管理端末識別子と設置時期と撤去時期とを関連付けた設置データを記憶した設置データ記憶手段とを用いて、作業者の作業実績を管理する労務管理方法であって、前記管理コンピュータが、前記作業管理端末から受信した、作業管理端末識別子、作業者識別子、作業開始時刻及び作業終了時刻に関する作業実績データと、前記設置データ記憶手段に記憶された設置データとを照合することにより作業現場識別子を特定し、前記作業現場識別子毎に作業実績を記録することを要旨とする。
【０００９】
請求項３に記載の発明は、請求項１又は２に記載の労務管理方法において、前記労務管理方法において、前記管理コンピュータが、前記作業管理端末からの前記作業管理端末識別子を含む設置通知に基づいて、前記作業管理端末の設置時期を前記設置データ記憶手段に記録する段階と、前記作業管理端末からの前記作業管理端末識別子を含む撤去通知に基づいて、前記作業管理端末の撤去時期を前記設置データ記憶手段に記録する段階とをさらに備えたことを要旨とする。
【００１０】
請求項４に記載の発明は、請求項３に記載の労務管理方法において、前記作業現場への前記現場端末の設置予定時期を作業現場識別子と現場端末識別子とに関連付けて設置予定データ記憶手段に予め記憶するとともに、前記設置時期を前記設置データ記憶手段に記録する段階は、前記設置通知に含まれる現場端末識別子及び設置時期と、前記設置予定データ記憶手段に記憶された現場端末識別子及び設置予定時期を照合し、前記作業現場識別子を特定する段階と、前記特定された作業現場識別子に関連付けて前記設置データ記憶手段に設置時期を記録する段階とを備えたことを要旨とする。
【００１１】
請求項５に記載の発明は、請求項３又は４に記載の労務管理方法において、前記撤去時期を前記設置データ記憶手段に記録する段階は、前記撤去通知に含まれる現場端末識別子に基づいて前記設置データを抽出する段階と、前記抽出した設置データのうち、設置時期に対応する撤去時期が記録されていない設置データについて、前記撤去通知に基づいて撤去時期を記録する段階とを備えたことを要旨とする。
【００１２】
請求項６に記載の発明は、請求項１〜５のいずれか１つに記載の労務管理方法において、前記労務管理方法は、前記管理コンピュータが、前記設置時期と前記撤去時期とに基づいて、前記作業管理端末の稼働期間を計算する段階と、前記稼働期間に基づいて課金を算出する段階とをさらに備えたことを要旨とする。
【００１３】
請求項７に記載の発明は、作業現場に設置する作業管理端末と、前記作業管理端末とネットワークを介して接続された管理コンピュータと、作業現場識別子と作業管理端末識別子と設置時期と撤去時期とを関連付けた設置データを記憶した設置データ記憶手段とを用いて、作業者の作業実績を管理するための労務管理プログラムであって、前記管理コンピュータを、前記作業管理端末から受信した、作業管理端末識別子、作業者識別子、作業開始時刻及び作業終了時刻に関する作業実績データを作業実績データ記憶手段に記録する第１の手段、及び、前記作業実績データ記憶手段に記憶された作業実績データと、前記設置データ記憶手段に記憶された設置データとを照合することにより作業現場識別子を特定し、作業現場識別子毎に作業実績を出力管理する第２の手段として機能させることを要旨とする。
【００１４】
請求項８に記載の発明は、作業現場に設置する作業管理端末と、前記作業管理端末とネットワークを介して接続された管理コンピュータと、作業現場識別子と作業管理端末識別子と設置時期と撤去時期とを関連付けた設置データを記憶した設置データ記憶手段とを用いて、作業者の作業実績を管理するための労務管理プログラムであって、前記管理コンピュータを、前記作業管理端末から受信した、作業管理端末識別子、作業者識別子、作業開始時刻及び作業終了時刻に関する作業実績データと、前記設置データ記憶手段に記憶された設置データとを照合することにより作業現場識別子を特定し、前記作業現場識別子毎に作業実績を記録する手段として機能させることを要旨とする。
【００１５】
請求項９に記載の発明は、請求項７又は８に記載の労務管理プログラムにおいて、前記管理コンピュータを、さらに、前記作業管理端末からの前記作業管理端末識別子を含む設置通知に基づいて、前記作業管理端末の設置時期を前記設置データ記憶手段に記録する第３の手段、及び、前記作業管理端末からの前記作業管理端末識別子を含む撤去通知に基づいて、前記作業管理端末の撤去時期を前記設置データ記憶手段に記録する第４の手段として機能させることを要旨とする。
【００１６】
請求項１０に記載の発明は、請求項９に記載の労務管理プログラムにおいて、前記作業現場への前記現場端末の設置予定時期を作業現場識別子と現場端末識別子とに関連付けて記憶した設置予定データ記憶手段を用いて、前記第３の手段を、前記設置通知に含まれる現場端末識別子及び設置時期と、前記設置予定データ記憶手段に記憶された現場端末識別子及び設置予定時期を照合し、前記作業現場識別子を特定する手段、及び、前記特定された作業現場識別子に関連付けて前記設置データ記憶手段に設置時期を記録する手段として機能させることを要旨とする。
【００１７】
請求項１１に記載の発明は、請求項９又は１０に記載の労務管理プログラムにおいて、前記第４の手段を、前記撤去通知に含まれる現場端末識別子に基づいて前記設置データを抽出する手段、及び、前記抽出した設置データのうち、設置時期に対応する撤去時期が記録されていない設置データについて、前記撤去通知に基づいて撤去時期を記録する手段として機能させることを要旨とする。
【００１８】
請求項１２に記載の発明は、請求項７〜１１のいずれか１つに記載の労務管理プログラムにおいて、前記管理コンピュータを、さらに、前記設置時期と前記撤去時期とに基づいて、前記作業管理端末の稼働期間を計算する第５の手段、及び、前記稼働期間に基づいて課金を算出する第６の手段として機能させることを要旨とする。
【００１９】
（作用）
請求項１又は７に記載の発明によれば、作業実績データと設置データとを照合することにより、各作業実績についての作業現場識別子を特定し、作業現場識別子毎に作業実績を管理できる。従って、作業者の作業現場と作業実績とを、効率的に管理できる。
【００２０】
請求項２又は８に記載の発明によれば、作業管理端末から受信した作業実績について作業現場識別子を特定でき、作業現場識別子毎に作業実績を記録できる。従って、作業者の作業現場と作業実績とを、効率的に管理できる。
【００２１】
請求項４又は１０に記載の発明によれば、設置通知を行った作業管理端末が設置された作業現場を特定でき、作業管理端末の使用を開始した作業現場を特定できる。
【００２２】
請求項５又は１１に記載の発明によれば、撤去通知を行った作業管理端末が設置されていた作業現場を特定でき、作業管理端末の使用を終了した作業現場を特定できる。
【００２３】
請求項６又は１２に記載の発明によれば、作業管理端末の稼働期間に応じて、作業管理端末の使用についての課金を行うことができる。
【００２４】
【発明の実施の形態】
以下、本発明を具体化した一実施形態を図１〜図６に従って説明する。本実施形態では、作業者の作業現場や作業時間の管理を行う労務管理方法及び労務管理プログラムとして説明する。ここでは、個人住宅の建設の工事現場で作業を行う作業者の作業現場及び作業時間を管理する場合を想定する。本実施形態では、各工事現場での各作業者の作業開始日時及び作業終了日時を管理するために、ＩＣカードの読み取り／書き込み手段を有する作業管理端末を用いる。この作業管理端末は、労務管理センタが、各ハウスメーカに貸し出す。各ハウスメーカは、この作業管理端末を各工事現場に設置する。
【００２５】
また、個人住宅の建設の場合、複数の下請会社の複数の作業者が関与するが、本実施形態では、各作業者は、それぞれ自分の作業者識別子が記録された記録媒体としてのＩＣカードを有している。そして、作業管理端末と各作業者が携帯するＩＣカードとを用いて、労務管理センタの管理システムが、各作業者の作業開始日時及び作業終了日時を管理する。
【００２６】
本実施形態では、図１に示すように、作業管理端末３１が、ネットワーク３０を介して管理システム２０と接続されている。本実施形態では、ネットワーク３０は、無線網（例えば、携帯電話網）を含んで構成され、作業管理端末３１は、無線によりネットワーク３０にデータ送信を行う。
【００２７】
作業管理端末３１は、作業者の出勤時刻（作業開始日時）及び退勤時刻（作業終了日時）を管理するための端末である。この作業管理端末３１は、労務管理センタが各ハウスメーカに貸し出し、各ハウスメーカが各工事現場に設置して使用する。各ハウスメーカは、連続して工事予定がある場合は、労務管理センタから借りた作業管理端末３１を継続して借り受ける。つまり、各ハウスメーカは、工事終了後、次の工事がある場合、先の工事で使用した作業管理端末３１を次の工事で使用する。
【００２８】
この作業管理端末３１は、図示しないＩＣカードの読み取り／書き込み手段、制御手段（ＣＰＵ）、記憶手段（ＲＡＭ、ＲＯＭ、ハードディスク等）、通信手段、表示手段、入力手段等を備えている。また、この作業管理端末３１は、労務管理可能か否かについての労務管理フラグを記憶手段に記憶している。作業管理端末３１は、労務管理フラグがオンの場合のみ、後述する労務管理のための処理を実行する。
【００２９】
ＩＣカード３２には、着工カード、工事終了カード及び作業者カードがある。着工カードは、着工の際に、作業管理端末３１の設置入力のために用いる。この着工カードには、カード種別として「着工」が記録されている。また、工事終了カードは、工事終了の際に、作業管理端末３１の撤去入力のために用いる。この工事終了カードには、カード種別として「工事終了」が記録されている。一方、作業者カードは、各作業者が携帯し、その作業者についての作業開始入力及び作業終了入力のために用いる。この作業者カードには、カード種別として「作業者」が記録されている。そして、この作業者カードには、作業者識別子が予め記憶されており、さらに、作業管理端末識別子、作業開始日時及び作業終了日時の履歴が記録される。
【００３０】
管理システム２０は、作業者の労務管理を行うコンピュータシステムである。この管理システム２０は、ネットワーク３０を介して作業管理端末３１と通信を行ないながら各種処理を実行する。管理システム２０は、図１に示すように管理コンピュータ２１を備えている。管理コンピュータ２１は、図示しない制御手段（ＣＰＵ）、記憶手段（ＲＡＭ、ＲＯＭ、ハードディスク等）、入出力手段やデータ送受信手段等を有する。この管理コンピュータ２１は、労務管理に関する後述する処理のための労務管理プログラムを実行する。これにより、管理コンピュータ２１は第１〜６の手段等の各手段として機能する。
【００３１】
管理コンピュータ２１には、設置データ記憶手段及び設置予定データ記憶手段としての設置データ記憶部２２及び作業実績データ記憶手段としての作業実績データ記憶部２３が、それぞれ接続されている。
【００３２】
設置データ記憶部２２には、図２に示すように、工事毎に設置データ２２０が記録されている。本実施形態では、設置データ２２０は、工事識別子、ハウスメーカ識別子、設置場所、設置予定時期、撤去予定時期、作業管理端末識別子、設置時期及び撤去時期に関するデータを含んで構成されている。工事識別子、ハウスメーカ識別子、設置場所、設置予定時期及び撤去予定時期に関するデータは、工事予定が決定された場合に記録される。作業管理端末識別子に関するデータは、設置する予定の作業管理端末３１が特定された場合に記録される。設置時期に関するデータは、作業管理端末３１が設置された場合に記録される。撤去時期に関するデータは、作業管理端末３１が撤去された場合に記録される。
【００３３】
工事識別子データ領域には、各工事を特定するための識別子に関するデータが記録される。ハウスメーカ識別子領域には、工事を担当するハウスメーカを特定するための識別子に関するデータが記録される。設置場所データ領域には、作業管理端末３１を設置する工事現場の住所に関するデータが記録される。設置予定時期データ領域には、工事現場に作業管理端末３１を設置する予定の日付に関するデータが記録される。撤去予定時期データ領域には、工事現場から作業管理端末３１を撤去する予定の日付に関するデータが記録される。作業管理端末識別子データ領域には、工事現場に設置する作業管理端末３１を特定するための識別子に関するデータが記録される。設置時期データ領域には、作業管理端末３１が設置された時期（年月日及び時刻）が記録される。撤去時期データ領域には、作業管理端末３１が撤去された時期（年月日及び時刻）が記録される。
【００３４】
作業実績データ記憶部２３には、図３に示すように、各作業者の工事現場での作業毎に作業実績データ２３０が記録されている。本実施形態では、作業実績データ２３０は、作業者識別子、作業管理端末識別子、作業開始日時及び作業終了日時に関するデータを含んで構成されている。作業者識別子、作業管理端末識別子、作業開始日時に関するデータは、作業者が工事現場に出勤した際に行う作業開始入力に基づいて設定される。作業終了日時に関するデータは、作業者が工事現場から退勤する際に行う作業終了入力に基づいて記録される。
【００３５】
作業者識別子データ領域には、作業者を識別する識別子に関するデータが記録される。作業管理端末識別子データ領域には、作業者の作業開始入力及び作業終了入力が行われた作業管理端末３１を特定するための識別子に関するデータが記録される。作業開始日時データ領域には、作業者が工事現場に出勤した際に自分のＩＣカード３２を作業管理端末３１に読み込ませた日時（年月日及び時刻）が記録される。作業終了日時データ領域には、作業者が工事現場から退勤する際に自分のＩＣカード３２を作業管理端末３１に読み込ませた日時（年月日及び時刻）が記録される。
【００３６】
上記のように構成されたシステムを用いて、作業管理端末３１を工事現場に設置して、作業者の作業実績を取得する手順を説明する。以下、作業管理端末設置処理、作業実績記録処理、作業管理端末撤去処理及びデータ集計処理に分けて説明する。
【００３７】
（作業管理端末設置処理）
まず、工事現場に作業管理端末３１を設置する場合の処理手順を図４に従って説明する。工事を受注したハウスメーカの担当者は、労務管理センタから借りた作業管理端末３１を使用して労務管理を行うために、設置予定を管理システム２０に通知する。具体的には、その担当者が使用するパソコン等の端末（図示せず）を用いて管理システム２０にアクセスする。これに応じて、管理システム２０は、作業管理端末３１の設置予定についての入力を行うためのウェブページ（設置予定入力画面）を、その担当者の端末に送信する。この設置予定入力画面には、ハウスメーカ識別子、設置場所、設置予定時期、撤去予定時期及び作業管理端末識別子についての入力欄が設けられている。ハウスメーカの担当者は、この設置予定入力画面において、ハウスメーカ識別子、設置場所、設置予定時期及び撤去予定時期の入力を行う。なお、この設置予定入力画面には、作業管理端末識別子の入力欄が設けられている。ハウスメーカが労務管理センタから既に借りている作業管理端末３１を使用する場合、担当者は、その工事で使用する予定の作業管理端末３１の作業管理端末識別子を入力する。
【００３８】
担当者の端末は、入力されたハウスメーカ識別子、設置場所、設置予定時期、撤去予定時期、及び、入力された場合には作業管理端末識別子を含むデータを管理システム２０に送信する。これを受信した管理システム２０の管理コンピュータ２１は、このハウスメーカ識別子、設置場所、設置予定時期及び撤去予定時期を含むデータを設定した設置データ２２０を設置データ記憶部２２に記憶する（ステップＳ１−１）。そして、作業管理端末識別子を併せて受信した場合には、管理コンピュータ２１は、その作業管理端末識別子を設置データ記憶部２２に記憶する（ステップＳ１−２）。
【００３９】
なお、ハウスメーカの担当者が設置予定入力画面において作業管理端末識別子を入力しなかった場合は、設置データ２２０に作業管理端末識別子が設定されていないことになる。この場合、労務管理センタの担当者は、管理コンピュータ２１に接続された端末（図示せず）から、新たに貸し出す作業管理端末３１の作業管理端末識別子を入力する。管理コンピュータ２１は、その作業管理端末識別子を設置データ記憶部２２に記憶する。そして、労務管理センタは、ハウスメーカに、その作業管理端末識別子の作業管理端末３１を新たに貸し出す。
【００４０】
着工する場合、ハウスメーカは、作業管理端末３１の設置担当の作業者に、労務管理センタから借りた作業管理端末３１を工事現場に設置させる。なお、本実施形態では、作業管理端末３１は携帯電話網を介して管理システム２０と接続する。このため、作業管理端末３１を設置する際には、配線工事を必要とせず、作業管理端末３１の電源を入れることにより、管理システム２０と通信可能となる。そして、この作業者は、着工を示す特定のＩＣカード３２（着工カード）を作業管理端末３１のＩＣカードの読み取り／書き込み手段にて読み取らせる。作業管理端末３１は、このＩＣカード３２に記憶されたカード種別の「着工」を読み込む（ステップＳ１−３）。これにより、設置入力が行われる。そして、作業管理端末３１は、表示手段に「着工」を表示する。そして、作業管理端末３１は、作業管理端末３１の作業管理端末識別子を有する設置通知を管理システム２０に送信する（ステップＳ１−４）。
【００４１】
管理システム２０の管理コンピュータ２１は、受信した作業管理端末識別子に基づいて、設置データ記憶部２２を検索する。そして、管理コンピュータ２１は、設置時期及び撤去時期が設定されていない設置データ２２０のうち、設置予定時期が最も早い時期の設置データ２２０を特定する（ステップＳ１−５）。そして、管理コンピュータ２１は、作業管理端末３１から設置通知を受信した時期（設置通知受信時期）と設置予定時期とを比較する（ステップＳ１−６）。設置通知受信時期が設置予定時期以降である場合（ステップＳ１−６でＹＥＳの場合）、管理コンピュータ２１は、設置通知受信時期を設置時期として作業管理端末識別子により特定した設置データ２２０に設定する（ステップＳ１−７）。そして、管理コンピュータ２１は、労務管理開始通知を作業管理端末３１に送信する（ステップＳ１−８）。作業管理端末３１は、労務管理フラグをオンにする（ステップＳ１−９）。これにより、作業管理端末３１による労務管理が可能となる。
【００４２】
なお、設置通知受信時期が設置予定時期より前である場合（ステップＳ１−６でＮＯの場合）、管理コンピュータ２１は、作業管理端末３１にエラー通知を行う（ステップＳ１−１０）。この場合、ハウスメーカが直ちに作業管理端末３１を設置して着工することを希望するのであれば、ハウスメーカの担当者は、労務管理センタに電話して、作業管理端末３１の設置予定時期を当日に変更するよう要請する。この場合、労務管理センタの担当者が管理コンピュータ２１に接続された端末から設置予定時期を変更するための入力を行う。そして、設置データ記憶部２２の設置予定時期が変更された後、再度、着工カードを作業管理端末３１に読み込ませることにより、ステップＳ１−３〜Ｓ１−９の処理が実行され、作業管理端末３１による労務管理が可能となる。
【００４３】
（作業実績記録処理）
次に、作業開始日時及び作業終了日時を記録する処理の手順を説明する。なお、作業管理端末３１は、この作業開始日時及び作業終了日時の取得に関する処理を、労務管理フラグがオン（労務管理可能）の場合のみ実行する。まず、作業開始の際の処理手順を図５に従って説明する。
【００４４】
まず、作業者が工事現場で作業を開始する場合、その作業者のＩＣカード３２（作業者カード）を作業管理端末３１に読み込ませる。作業管理端末３１は、そのＩＣカード３２に記憶された情報を読み込む（ステップＳ２−１）。作業管理端末３１は、ＩＣカード３２から読み込んだカード種別を確認し、それが「作業実績」である場合、以下の処理を行う。
【００４５】
ＩＣカード３２から読み込んだ最新の作業実績に作業終了日時が記録されている場合は、作業者が作業開始入力を行う場合である。この場合、作業管理端末３１は、そのＩＣカード３２に、その作業管理端末３１の作業管理端末識別子及び作業開始日時を記録する（ステップＳ２−２）。このとき、作業管理端末３１は、表示手段に「作業開始」を表示する。さらに、作業管理端末３１は、作業者識別子、作業管理端末識別子及び作業開始日時を管理システム２０に送信する（ステップＳ２−３）。管理システム２０の管理コンピュータ２１は、受信した作業者識別子、作業管理端末識別子及び作業開始日時を設定した作業実績データ２３０を作業実績データ記憶部２３に記録する（ステップＳ２−４）。
【００４６】
次に、作業終了の際の処理手順を、作業開始の場合と同様に図５に従って説明する。作業者が工事現場での作業を終了した場合、その作業者のＩＣカード３２（作業者カード）を作業管理端末３１に読み込ませる。作業管理端末３１は、そのＩＣカード３２に記憶された情報を読み込む（ステップＳ２−１）。作業管理端末３１は、ＩＣカード３２から読み込んだカード種別を確認し、カード種別が「作業者」である場合、以下の処理を行う。
【００４７】
ＩＣカード３２から読み込んだ最新の作業実績に作業開始日時に対応した作業終了日時が記録されていない場合は、その日の作業終了入力を行う場合である。この場合、作業管理端末３１は、そのＩＣカード３２に、最新の作業管理端末識別子及び作業開始日時に関連付けて作業終了日時を記録する（ステップＳ２−２）。このとき、作業管理端末３１は、表示手段に「作業終了」を表示する。さらに、作業管理端末３１は、作業者識別子、作業管理端末識別子、作業開始日時及び作業終了日時を管理システム２０に送信する（ステップＳ２−３）。管理システム２０の管理コンピュータ２１は、受信した作業者識別子、作業管理端末識別子及び作業開始日時に基づいて作業実績データ２３０を特定する。そして、管理コンピュータ２１は、その作業実績データ２３０に受信した作業終了日時を設定する（ステップＳ２−４）。
【００４８】
（作業管理端末撤去処理）
次に、工事現場から作業管理端末３１を撤去する場合の処理手順を図６に従って説明する。
【００４９】
工事が終了し、作業管理端末３１の撤去を行う前に、すべての作業者について作業終了日時を各作業者のＩＣカード３２に記録し、管理システム２０に通知する。それが終了すると、作業管理端末３１を撤去する前に、作業者は、工事終了を示す特定のＩＣカード３２（工事終了カード）を作業管理端末３１のＩＣカードの読み取り／書き込み手段にて読み取らせる。作業管理端末３１は、この工事終了カードにカード種別として記憶された「工事終了」を読み込む（ステップＳ３−１）。これにより、撤去入力が行われる。そして、作業管理端末３１は、表示手段に「工事終了」を表示する。そして、作業管理端末３１は、その作業管理端末３１の作業管理端末識別子を有する撤去通知を管理システム２０に送信する（ステップＳ３−２）。
【００５０】
管理システム２０の管理コンピュータ２１は、受信した撤去通知の作業管理端末識別子により設置データ記憶部２２を検索する。そして、設置時期が設定されていて撤去時期が設定されていない設置データ２２０を特定する。そして、管理コンピュータ２１は、作業管理端末３１から撤去通知を受信した時期を撤去時期としてその設置データ２２０に設定する（ステップＳ３−３）。一方、作業管理端末３１は、労務管理フラグをオフにする（ステップＳ３−４）。これにより、作業管理端末３１による労務管理が不能となり、作業管理端末３１の表示手段に「労務管理不能」と表示される。工事現場の作業者は、その表示を確認した後、作業管理端末３１を撤去する。
【００５１】
（データ集計処理）
次に、このようにして記録された設置データ２２０及び作業実績データ２３０を用いてデータ集計を行う場合について説明する。
【００５２】
まず、各作業者について、作業時間を算出する場合について説明する。この場合、まず、管理コンピュータ２１は、作業者識別子毎に、作業実績データ記憶部２３から作業実績データ２３０を抽出する。そして、管理コンピュータ２１は、各作業実績データ２３０について、作業開始日時及び作業終了日時に基づいて、それぞれ作業時間を算出する。そして、管理コンピュータ２１は、作業者毎に作業時間を集計する。
【００５３】
次に、工事現場毎に各作業者の作業時間を集計する場合について説明する。この場合、各作業実績データ２３０がどの工事現場での作業によるものかを特定する必要がある。ここで、同一の作業管理端末３１が複数の工事現場で使用されている場合がある。このため、同一の作業管理端末３１を用いた工事現場については、設置時期及び撤去時期と、作業開始日時及び作業終了日時とを用いて作業が行われた工事現場を特定する。つまり、各工事現場での作業管理端末３１の設置時期から撤去時期までの期間に作業開始日時及び作業終了日時が含まれる作業実績が、その工事現場における作業実績となる。
【００５４】
例えば、特定の工事現場について、各作業者の作業時間を求める場合、管理コンピュータ２１は、まず、設置データ２２０の作業管理端末識別子により、作業実績データ記憶部２３から作業実績データ２３０を抽出する。そして、作業開始日時及び作業終了日時が、その設置データ２２０の設置時期から撤去時期までの期間に含まれる作業実績データ２３０を特定する。そして、管理コンピュータ２１は、特定された各作業実績データ２３０について、作業開始日時から作業終了日時までの時間を作業時間として算出し、作業者識別子毎に作業時間の合計を算出する。これにより、その工事現場における作業者毎の作業時間が求められる。
【００５５】
次に、作業管理端末３１の使用状況に応じて各ハウスメーカに対する課金を算出する場合について説明する。この場合、まず、管理コンピュータ２１は、ハウスメーカ識別子毎に設置データ記憶部２２から設置データ２２０を抽出する。そして、各設置データ２２０の設置時期と撤去時期とからそれぞれ稼働期間を算出し、ハウスメーカ毎に稼働期間の合計を算出する。そして、その稼働期間の合計に基づいて、各ハウスメーカに対する課金を算出する。
【００５６】
以上、本実施形態によれば、以下に示す効果を得ることができる。
・  上記実施形態では、管理コンピュータ２１は、工事識別子と作業管理端末識別子とを設置データ記憶部２２に記憶する。そして、管理コンピュータ２１は、作業管理端末３１における設置入力及び撤去入力に基づいて、その作業管理端末３１の設置時期及び撤去時期を設置データ記憶部２２に記憶する。また、管理コンピュータ２１は、作業管理端末３１を用いて行われた作業者の作業開始入力及び作業終了入力に基づいて、作業者の作業開始日時及び作業終了日時と作業管理端末識別子とを作業実績データ記憶部２３に記憶する。そして、管理コンピュータ２１は、設置時期から撤去時期までの期間に作業開始日時及び前記作業終了日時が含まれる場合、その作業現場における作業実績として処理する。このため、作業管理端末３１を工事現場に設置している期間について、その工事現場における作業者の作業開始日時と作業終了日時とを管理できる。従って、作業者の作業現場と作業実績とを把握できる。
【００５７】
・  上記実施形態では、設置通知は、作業管理端末３１において設置入力が行われた場合に前記作業管理端末から送信されるとともに、撤去通知は、作業管理端末３１において撤去入力が行われた場合に作業管理端末３１から送信される。このため、実際に作業実績の管理が開始されるときに設置通知がされ、実際に作業実績の管理を終了するときに、撤去通知がされるようにすることができる。従って、作業者の作業実績の管理を行う必要がある時期についてのみ、作業管理端末３１を用いた作業実績の管理が可能となるようにすることができる。
【００５８】
・  上記実施形態では、作業管理端末３１にて設置入力がされた場合、作業管理端末３１の労務管理フラグがオンにする。また、作業管理端末３１にて撤去入力がされた場合、作業管理端末３１の労務管理フラグをオフにする。そして、労務管理フラグがオンの場合のみ、作業者のＩＣカード３２（作業者カード）を用いた作業者の作業開始日時及び作業終了日時の管理のための処理を可能とする。このため、設置時期から撤去時期までの期間に限り、作業者の作業開始日時及び作業終了日時を管理できる。
【００５９】
・  上記実施形態では、作業管理端末３１は、ＩＣカード３２の読み取り及び書き込みを行うカード読み取り／書き込み手段を備える。そして、設置入力及び撤去入力は、設置入力及び撤去入力のための特定のＩＣカード３２（着工カード、工事終了カード）を用いて行う。また、作業開始入力及び作業終了入力は、各作業者の労務管理用のＩＣカード３２（作業者カード）を用いて行う。このため、作業者は、設置入力及び撤去入力と、作業開始入力及び作業終了入力とを、同様の操作で行うことができる。また、作業開始入力又は作業終了入力が行われた場合、作業者カードの作業者識別子により、容易に作業者を識別できる。
【００６０】
なお、上記実施形態は、以下の態様に変更してもよい。
・  上記実施形態では、作業管理端末識別子、設置時期及び撤去時期を設置データ記憶部２２に記憶し、作業管理端末識別子、作業開始日時及び作業終了日時を作業実績データ記憶部２３に記憶した。そして、同一の作業管理端末３１を用いた工事現場について、設置時期及び撤去時期と、作業開始日時及び作業終了日時とを用いて、各作業実績データ２３０の作業が行われた工事現場を特定した。これに代えて、作業実績データ２３０を作業実績データ記憶部２３に記録する際に、工事識別子を設置データ記憶部２２から抽出して、その工事識別子を設置データ記憶部２２に記憶してもよい。この場合、作業実績データ２３０の作業端末識別子と同一の作業端末識別子の設置データ２２０の設置時期及び撤去時期と、作業実績データ２３０の作業開始日時とから工事識別子を特定する。このようにすることで、作業実績データ２３０に工事識別子が設定されているため、作業実績を集計する際に、作業管理端末識別子、設置時期、撤去時期、作業開始日時及び作業終了日時を用いて工事を特定する必要がなくなる。
【００６１】
・  上記実施形態では、設置時期から撤去時期までの期間に限り、作業管理端末３１の労務管理フラグをオンにして、作業管理端末３１を労務管理に使用できるようにした。これに代えて、作業管理端末３１は、設置時期及び撤去時期にかかわらず作業開始入力及び作業終了入力を受け付けて、管理システム２０に通知するようにしてもよい。そして、作業管理端末３１の設置時期及び撤去時期にかかわらず作業実績データ２３０を記録する。そして、作業者毎の作業時間を集計する際に、有効な作業実績データ２３０を特定してもよい。この場合、作業管理端末３１の設置時期から撤去時期までの期間に作業開始日時及び作業終了日時が含まれる作業実績データ２３０を有効とする。このようにすることで、作業管理端末３１自体に労務管理可能か否かを設定しなくても、作業管理端末３１の設置時期から撤去時期までについてのみ、作業者の作業実績を管理できる。
【００６２】
・  上記実施形態では、設置入力又は撤去入力のためのＩＣカード３２（着工カード、工事終了カード）を用いた設置入力又は撤去入力により、それぞれ設置通知、撤去通知を作業管理端末３１が管理システム２０に送信した。管理システム２０に設置通知及び撤去通知を送信できれば、設置入力及び撤去入力は他の方法で行ってもよい。例えば、設置入力又は撤去入力は、作業者の労務管理用のＩＣカード３２（作業者カード）を用いて行ってもよい。この場合、設置入力は、作業開始入力を行った作業者の属性（例えば、職種）が特定の属性である場合に行われたものとしてもよい。また、撤去入力は、作業終了入力を行った作業者の属性が特定の属性である場合に行われたものとしてもよい。ここで、作業者の属性は、ＩＣカード３２に記録しておいてもよいし、管理システム２０に備えられた記憶手段に作業者識別子と関連付けて記憶しておき、作業者識別子に基づいて抽出してもよい。なお、作業開始入力又は作業終了入力が、設置入力又は撤去入力と判断される属性の作業者は、着工時又は工事の完了の際にのみ、工事現場で作業を行うものとする。このようにすることで、作業開始入力又は作業終了入力とは別に設置入力又は撤去入力をする必要がなく、作業者の負担を軽減できる。
【００６３】
・  上記実施形態では、設置入力及び撤去入力は、特定のＩＣカード３２（着工カード、工事終了カード）を用いて行ったが、設置入力及び撤去入力は、ＩＣカード３２を用いずに作業管理端末３１の入力ボタン等の操作により行ってもよい。また、設置入力及び撤去入力は、作業管理端末３１の電源を入れて、管理システム２０との通信を可能とした場合に、行われたものとしてもよい。
【００６４】
・  上記実施形態では、作業者の作業開始入力及び作業終了入力は、作業者のＩＣカード３２（作業者カード）を用いて行った。これに代えて、磁気カード等の他の記録媒体を用いて作業者の作業開始入力及び作業終了入力を行わせてもよい。また、記録媒体を用いずに、虹彩認証、網膜認証、指紋認証等のバイオメトリックス認証により作業者を確認して、作業者の作業開始入力及び作業終了入力を行わせてもよい。このようにすることで、作業者本人を確認できるため、より確実に作業実績を把握できる。また、作業者が作業者カードを携帯しなくてもよくなり、作業者の負担を軽減できる。
【００６５】
・  上記実施形態では、設置通知及び撤去通知に基づいて、それぞれ設置時期及び撤去時期を設置データ記憶部２２に記録した。これに代えて、予め設置時期及び撤去時期を記憶しておき、作業管理端末３１からの設置通知及び撤去通知を行わないようにしてもよい。
【００６６】
・  上記実施形態では、個人住宅の建設等の工事現場で作業を行う作業者の労務管理を行う場合に本発明を具体化した。本発明は、これに限られるものではなく、作業管理端末３１を提供して、作業現場における作業者の作業開始日時と作業終了日時とを管理する場合であれば、他の場合に本発明を具体化してもよい。例えば、道路工事等の各種工事現場や、人材派遣での派遣先等における作業者の労務管理に本発明を具体化してもよい。
【００６７】
【発明の効果】
以上詳述したように、本発明によれば、作業者の作業現場と作業時間とを効率的に管理することができる。
【図面の簡単な説明】
【図１】本発明の一実施形態のシステム概略図。
【図２】設置データ記憶部に記憶されたデータの説明図。
【図３】作業実績データ記憶部に記憶されたデータの説明図。
【図４】本発明の一実施形態の処理手順の説明図。
【図５】本発明の一実施形態の処理手順の説明図。
【図６】本発明の一実施形態の処理手順の説明図。
【符号の説明】
２１…管理コンピュータ、２２…設置データ記憶手段及び設置予定データ記憶手段としての設置データ記憶部、２３…作業実績データ記憶手段としての作業実績データ記憶部、３０…ネットワーク、３１…作業管理端末、３２…記録媒体としてのＩＣカード。
【図１】
2004288123.tif 000003
【図２】
2004288123.tif 000004
【図３】
2004288123.tif 000005
【図４】
2004288123.tif 000006
【図５】
2004288123.tif 000007
【図６】
2004288123.tif 000008